(57)【特許請求の範囲】
【請求項１】
ナースコール子機（１ａ、１ｂ、・・・、２ａ、２ｂ、・・・）からの呼出しをナースコール親機（１１、１２）および携帯端末（２１ａ、２１ｂ、・・・、２２ａ、２２ｂ、・・・）に報知／表示させるナースコール装置であって、
前記ナースコール親機には、前記ナースコール子機毎の呼出先の前記携帯端末を設定するための呼出先設定テーブル（５７ａ）および前記ナースコール子機からの呼出しに応じて前記携帯端末にて表示させる子機番号情報を変更するための子機番号変更テーブル（５７ｂ）を備える記憶部（５７）と、前記呼出先設定テーブルに基づいて前記ナースコール子機からの呼出先を変更するための第１の呼出先変更スイッチ（５８）と、前記子機番号変更テーブルに基づいて前記携帯端末にて表示させる前記子機番号情報を変更するための子機番号変更スイッチ（５９）とが設けられていることを特徴とするナースコール装置。
【請求項２】
前記ナースコール親機には、夜間等で看護人が少なくなった場合に前記ナースコール子機から前記携帯端末への呼出先を変更するための第２の呼出先変更スイッチ（６０）が設けられていることを特徴とする請求項１記載のナースコール装置。
【請求項３】
前記ナースコール親機には、前記第２の呼出先変更スイッチの操作に応じて前記ナースコール子機の呼出先を表示するための表示部（５４）が設けられていることを特徴とする請求項２記載のナースコール装置。
【発明の詳細な説明】
【０００１】
【発明の属する技術分野】
【０００２】
本発明はナースコール装置に係り、特に、ナースコール子機からの呼出しが報知／表示される携帯端末を変更できるナースコール装置に関する。
【従来の技術】
【０００３】
従来から、この種のナースコール装置として、図５のブロック図に示す全体構成のナースコール装置が提案されている。
【０００４】
同図に示すナースコール装置は、病院内の所定のエリア、ここでは、１階、２階毎で病室内の各病床にそれぞれ設置される複数のナースコール子機１０１ａ、１０１ｂ、・・・、１０２ａ、１０２ｂ、・・・と、各階毎のナースステーション内にそれぞれ設置されるナースコール親機１１１、１１２と、各階を巡回中の看護人、例えば、看護婦により携帯（所持）される複数の携帯端末１２１ａ、１２１ｂ、・・・、１２２ａ、１２２ｂ、・・・と、各階毎に設置され携帯端末１２１ａ、１２１ｂ、・・・、１２２ａ、１２２ｂ、・・・を無線制御（呼出先、通話路の選択、信号処理等）するための無線基地局１３１、１３２と、病院内の共用部に設置されナースコール親機１１１、１１２および無線基地局１３１、１３２の間をそれぞれ制御（回線制御等）するための交換機１４１とで構成されている。
【０００５】
このように構成されたナースコール装置において、各階（１階、２階）毎のナースステーション内にそれぞれ設置されるナースコール親機１１１、１１２には、製品の出荷時における病院側からの要請に基づいて、病室内の各病床にそれぞれ設置されるナースコール子機１０１ａ、１０１ｂ、・・・、１０２ａ、１０２ｂ、・・・毎、呼出先の携帯端末１２１ａ、１２１ｂ、・・・、１２２ａ、１２２ｂ、・・・に割当てた携帯端末割当テーブル（図示せず）と、携帯端末１２１ａ、１２１ｂ、・・・、１２２ａ、１２２ｂ、・・・にてナースコール子機１０１ａ、１０１ｂ、・・・、１０２ａ、１０２ｂ、・・・からの呼出しに応じて表示させる子機番号情報の子機番号テーブル（図示せず）とがそれぞれ記憶されている。
【０００６】
ここで、一方のエリアをなす１階の病室内の各病床にそれぞれ設置されるナースコール子機１０１ａ、１０１ｂ、・・・のうち、ナースコール子機１０１ａの呼出機能（詳述せず）が患者により能動とされると、この操作を検出したナースコール親機１１１の呼出報知機能が能動となり、例えば、呼出音の鳴動、呼出元のナースコール子機１０１ａに該当した表示灯（図示せず）の点灯による１階のナースステーション内に居る看護人、例えば、看護婦への呼出報知／表示が行われるとともに、携帯端末割当テーブル（図示せず）および子機番号テーブル（図示せず）に割当てられている呼出先の当該携帯端末にて子機番号情報を表示させる、ここでは、１階を巡回中の看護人、例えば、看護婦が携帯している携帯端末１２１ａ、１２１ｂ、・・・にて呼出報知／表示させるために、呼出先アドレスと子機番号情報とを含有した携帯端末呼出信号を出力し、この携帯端末呼出信号は、交換機１４１、無線基地局１３１、１３２を介して携帯端末１２１ａ、１２１ｂ、・・・、１２２ａ、１２２ｂ、・・・にそれぞれ伝送される。
【０００７】
また、携帯端末１２１ａ、１２１ｂ、・・・、１２２ａ、１２２ｂ、・・・は、ナースコール親機１１１からの携帯端末呼出信号をなす呼出先アドレスと自端末に予め割当てられているアドレスとを照合し、一致した場合にのみ呼出報知／表示を行う。ここでは、携帯端末１２１ａ、１２１ｂ、・・・のみ当該アドレスが一致し、呼出音の鳴動、呼出元のナースコール子機１０１ａに該当した子機番号情報、例えば、「１」の表示により、１階を巡回中の看護人、例えば、看護婦への呼出報知／表示が行われる。
【０００８】
なお、上述の説明では、一方のエリアをなす１階の病室内の各病床にそれぞれ設置されるナースコール子機１０１ａ、１０１ｂ、・・・のうち、ナースコール子機１０１ａからの呼出しを報知／表示させる動作について説明したが、他のナースコール子機１０１ｂ、・・・や、他方のエリア、即ち、２階の病室内の各病床にそれぞれ設置されるナースコール子機１０２ａ、１０２ｂ、・・・からの呼出しについても同様、ナースコール親機１１１、１１２にそれぞれ記憶されている携帯端末割当テーブル（図示せず）および子機番号テーブル（図示せず）に基づいて、ナースコール親機１１１、１１２、呼出先に該当した携帯端末１２１ａ、１２１ｂ、・・・、１２２ａ、１２２ｂ、・・・にて適宜に呼出報知／表示が行われる（詳述せず）。
【発明が解決しようとする課題】
【０００９】
しかしながら、従来のナースコール装置では、製品の出荷時における病院側からの要請に基づいて、ナースコール子機１０１ａ、１０１ｂ、・・・、１０２ａ、１０２ｂ、・・・毎、呼出先の携帯端末１２２ａ、１２２ｂ、・・・、１２２ａ、１２２ｂ、・・・、および呼出先の１２２ａ、１２２ｂ、・・・、１２２ａ、１２２ｂ、・・・にて表示させる子機番号情報を設定し記憶せねばならず、出荷時以降、変更できない煩雑さを有する難点
また、ナースコール子機１０１ａ、１０１ｂ、・・・、１０２ａ、１０２ｂ、・・・から携帯端末１２２ａ、１２２ｂ、・・・、１２２ａ、１２２ｂ、・・・への呼出先の変更ができないことに起因して、夜間時等で看護業務を遂行する看護人、例えば、看護婦の数が少なく、当該看護婦が所定のエリアにのみ存在している場合には、不在とされるエリアからの呼出しを看護婦が確認できず、緊急の呼出時等、迅速な対応が困難となる難点があった。
【００１０】
本発明は、上述の難点を解消するためになされたもので、ナースコール子機から携帯端末への呼出先、および呼出先の携帯端末にて表示させる子機番号情報を容易に変更可能とするとともに、変更した呼出先を表示可能とすることにより、夜間時等で看護業務を遂行する看護人、例えば、看護婦の数が少ない場合における病床の患者からの緊急の呼出しに対して迅速な対応ができるナースコール装置を提供することを目的とする。
【課題を解決するための手段】
【００１１】
この目的を達成するため、本発明によるナースコール装置は、ナースコール子機からの呼出しをナースコール親機および携帯端末に報知／表示させるナースコール装置であって、ナースコール親機には、ナースコール子機毎の呼出先の携帯端末を設定するための呼出先設定テーブルおよびナースコール子機からの呼出しに応じて携帯端末にて表示させる子機番号情報を変更するための子機番号変更テーブルを備える記憶部と、呼出先設定テーブルに基づいてナースコール子機からの呼出先を変更するための第１の呼出先変更スイッチと、子機番号変更テーブルに基づいて携帯端末にて表示させる子機番号情報を変更するための子機番号変更スイッチとが設けられていることを特徴としている。
【００１２】
また、本発明によるナースコール装置は、ナースコール親機には、夜間等で看護人が少なくなった場合にナースコール子機から携帯端末への呼出先を変更するための第２の呼出先変更スイッチが設けられていることを特徴としている。
【００１３】
また、本発明によるナースコール装置は、ナースコール親機には、第２の呼出先変更スイッチの操作に応じてナースコール子機の呼出先を表示するための表示部が設けられていることを特徴としている。
【００１４】
このようなナースコール装置によれば、ナースコール子機から携帯端末への呼出先を変更するための機能、携帯端末にて表示させる子機番号情報を変更するための機能、およびナースコール子機の変更された呼出先を表示するための機能をナースコール親機に備えることにより、ナースコール子機から携帯端末への呼出先、および呼出先の携帯端末にて表示させる子機番号情報の変更が容易となるとともに、変更した呼出先を視覚的に確認することができ、夜間時等で看護業務を遂行する看護人、例えば、看護婦の数が少ない場合における病床の患者からの緊急の呼出しに対して迅速な対応が可能となる。
【発明の実施の形態】
【００１５】
以下、本発明によるナースコール装置を適用した好ましい形態の実施例について、図面を参照して説明する。
【００１６】
図１は、本発明の一実施例によるナースコール装置の全体構成を示すブロック図であり、病院内の所定のエリア、ここでは、１階、２階毎で病室内の各病床にそれぞれ設置される複数のナースコール子機１ａ、１ｂ、・・・、２ａ、２ｂ、・・・と、各階毎のナースステーション内にそれぞれ設置されるナースコール親機１１、１２と、各階を巡回中の看護人、例えば、看護婦により携帯（所持）される複数の携帯端末２１ａ、２１ｂ、・・・、２２ａ、２２ｂ、・・・と、各階毎に設置され携帯端末２１ａ、２１ｂ、・・・、２２ａ、２２ｂ、・・・を無線制御（呼出先、通話路の選択、信号処理等）するための無線基地局３１、３２と、病院内の共用部に設置されナースコール親機１１、１２および無線基地局３１、３２の間をそれぞれ制御（回線制御等）するための交換機４１とで構成されており、ナースコール親機１１、１２には、子機接続ラインＬ1a、Ｌ1b、・・・、Ｌ2a、Ｌ2b、・・・を介してナースコール子機１ａ、１ｂ、・・・、２ａ、２ｂ、・・・が、交換機接続ラインＬ11、Ｌ12を介して交換機４１がそれぞれ接続され、この交換機４１には、基地局接続ラインＬ21、Ｌ22を介して無線基地局３１、３２がそれぞれ接続されている。
【００１７】
また、ナースコール親機１１、１２は、それぞれ同様な構成であり、図２のブロック図に示すように、当該ナースコール親機の構成各部（回路等を含む）を制御するための制御回路５０と、子機接続ラインＬ1a、Ｌ1b、・・・、Ｌ2a、Ｌ2b、・・・に接続されるナースコール子機１ａ、１ｂ、・・・、２ａ、２ｂ、・・・からの呼出しをそれぞれ検出するための呼出検出回路５１と、呼出音を鳴動させる、例えば、拡声スピーカ（図示せず）からなる呼出音発報部５２と、呼出音発報部５２にて鳴動させる呼出音をなす呼出音信号を出力するための呼出音発生回路５３と、何れのナースコール子機１ａ、１ｂ、・・・、２ａ、２ｂ、・・・からの呼出し、即ち、呼出元を表示する、および後述する第２の呼出先変更スイッチ６０の操作に応じて、ナースコール子機１ａ、１ｂ、・・・、２ａ、２ｂ、・・・の変更された呼出先、即ち、呼出先の携帯端末２１ａ、２１ｂ、・・・、２２ａ、２２ｂ、・・・を表示する、例えば、複数の表示灯（図示せず）からなる表示部５４と、各階毎のナースステーション内に居る看護人、例えば、看護婦が呼出応答して、呼出した病床の患者との通話を成立させるために用いる送受話器５５と、送受話器５５にて送受信される音声（音声信号）の通話路を形成するための通話回路５６と、ナースコール子機１ａ、１ｂ、・・・、２ａ、２ｂ、・・・毎、呼出先の携帯端末２１ａ、２１ｂ、・・・、２２ａ、２２ｂ、・・・を設定するための図３の説明図に示す呼出先設定テーブル５７ａ、ナースコール子機１ａ、１ｂ、・・・、２ａ、２ｂ、・・・からの呼出しに応じて携帯端末２１ａ、２１ｂ、・・・、２２ａ、２２ｂ、・・・にて表示させる子機番号情報を変更するための図４の説明図に示す子機番号変更テーブル５７ｂが設けられた記憶部５７と、記憶部５７の呼出先設定テーブル５７ａに基づいて、ナースコール子機１ａ、１ｂ、・・・、２ａ、２ｂ、・・・からの呼出先を変更するために操作される第１の呼出先変更スイッチ５８と、記憶部５７の子機番号変更テーブル５７ｂに基づいて、携帯端末２１ａ、２１ｂ、・・・、２２ａ、２２ｂ、・・・にて表示させる子機番号情報を変更するために操作される子機番号変更スイッチ５９と、夜間時等で看護業務を遂行する看護人、例えば、看護婦の数が少なくなった場合に、ナースコール子機１ａ、１ｂ、・・・、２ａ、２ｂ、・・・から携帯端末２１ａ、２１ｂ、・・・、２２ａ、２２ｂ、・・・への呼出先を変更するために操作される第２の呼出先変更スイッチ６０とが備えられている。
【００１８】
このように構成された本発明の一実施例によるナースコール装置において、以下、その動作について説明する。
【００１９】
図１のブロック図において、各階（１階、２階）毎のナースステーション内にそれぞれ設置されるナースコール親機１１、１２の記憶部５７に設けられた呼出先設定テーブル５７ａには、図３の説明図に示すように、製品の出荷時において、病室内の各病床にそれぞれ設置されるナースコール子機１ａ、１ｂ、・・・、２ａ、２ｂ、・・・からの呼出報知／表示が何れも携帯端末２１ａ、２１ｂ、・・・となるような初期状態が設定（初期設定）されている。ここで、病院側からの基づいて、第１の呼出先変更スイッチ５８を操作すると、ナースコール子機１ａ、１ｂ、・・・、２ａ、２ｂ、・・・からの呼出先の携帯端末２１ａ、２１ｂ、・・・、２２ａ、２２ｂ、・・・を適宜に変更することができる。ここでは、図３の説明図に示すように、ナースコール子機１ａ、１ｂ、・・・からの呼出しを携帯端末２１ａ、２１ｂ、・・・にて報知／表示させる設定（以下、第１の呼出先変更設定と称す）、ナースコール子機２ａ、２ｂ、・・・からの呼出しを携帯端末２２ａ、２２ｂ、・・・にて報知／表示させる設定（以下、第２の呼出先変更設定と称す）の各設定をもとに呼出先が変更され、この変更内容は呼出先設定テーブル５７ａにそれぞれ記憶される。
【００２０】
また、製品の出荷時において、ナースコール親機１１、１２の記憶部５７に設けられた子機情報変更テーブル５７ｂには、携帯端末２１ａ、２２ａにて表示させる子機番号情報を「１」、携帯端末２１ｂ、２２ｂにて表示させる子機番号情報を「２」、・・・とする設定（以下、子機番号情報初期設定と称す）がそれぞれ設定されている。
【００２１】
ここで、昼間等の通常時、即ち、各階毎で看護業務を遂行している看護人、例えば、看護婦が多い場合において、一方のエリアをなす１階の病室内の各病床にそれぞれ設置されるナースコール子機１ａ、１ｂ、・・・のうち、ナースコール子機１ａの呼出機能（図示せず）が患者により能動とされると、子機接続ラインＬ1aを介してナースコール子機１１の呼出検出回路５１に呼出信号が伝送される。
【００２２】
ナースコール親機１１の呼出検出回路５１は、子機接続ラインＬ1aを伝送されてきた呼出信号をもとにナースコール子機１ａが設置された病床の患者からの呼出しを検出し、その旨の呼出元情報、例えば、ナースコール子機番号を含有した呼出検出信号を制御回路５０に出力する。制御回路５０は、呼出検出回路５１からの呼出検出信号を検出することにより呼出音発生回路５３を能動とし呼出音発報部５２、例えば、拡声スピーカ（図示せず）にて呼出音発生回路５３からの呼出音信号をもとに呼出音を鳴動させるとともに、表示部５４を制御し呼出元のナースコール子機１ａに該当した表示灯（図示せず）を点灯させ、１階のナースステーション内に居る看護人、例えば、看護婦への呼出報知／表示を行う。また、呼出検出回路５１からの呼出検出信号を検出した制御回路５０は、記憶部５７の呼出先設定テーブル５７ａ（図示せず）および子機番号情報テーブル５７ｂ（図示せず）を参照し、当該呼出検出信号をなすナースコール子機番号に該当して設定されている第１の呼出先変更設定に基づく携帯端末２１ａ、２１ｂ、・・・への呼出先情報（図３の説明図を参照）をなす呼出先アドレスと、当該呼出検出信号をなすナースコール子機番号に該当して設定されている子機番号情報初期設定に基づく呼出先の携帯端末２１ａ、２１ｂ、・・・にて表示させる子機番号情報（図４の説明図を参照）とを含有した携帯端末呼出信号を、交換機接続ラインＬ11を介して交換機４１に出力する。
【００２３】
また、交換機４１は、ナースコール親機１１からの携帯端末呼出信号を、基地局接続ラインＬ21、Ｌ22、無線基地局３１、３２を介して携帯端末２１ａ、２１ｂ、・・・、２２ａ、２２ｂ、・・・へそれぞれ伝送させる。
【００２４】
また、携帯端末２１ａ、２１ｂ、・・・、２２ａ、２２ｂ、・・・は、ナースコール親機１１からの携帯端末呼出信号をなす呼出先アドレスと自端末に予め割当てられているアドレスとを照合し、一致した場合にのみ呼出報知／表示を行う。ここでは、携帯端末２１ａ、２１ｂ、・・・のみ当該アドレスが一致し、呼出音の鳴動、呼出元のナースコール子機１ａに該当した子機番号情報「１」の表示により、１階を巡回中の看護人、例えば、看護婦への呼出報知／表示を行う。
【００２５】
さらに、上述の呼出報知／表示をもとに、ナースコール子機１ａが設置された病床の患者からの呼出しを確認した１階のナースステーション内に居る看護婦、１階を巡回中で携帯端末２１ａ、２１ｂ、・・・を携帯している看護婦のうち、最先に呼出応答した看護婦、１階のナースステーション内に居る看護婦においてはナースコール親機１１の送受話器５５を取上げる、巡回中の看護婦においては応答ボタン（図示せず）を押下する等の適宜な応答操作を行うことにより、ナースコール子機１ａとの間の通話路が形成され、この通話路を介して音声（音声信号）を送受信させることにより通話が成立する（詳述せず）。
【００２６】
なお、上述の説明では、一方のエリアをなす１階の病室内の各病床にそれぞれ設置されるナースコール子機１ａ、１ｂ、・・・のうち、ナースコール子機１ａからの呼出しを報知／表示させる動作について説明したが、他のナースコール子機１ｂ、・・・や、他方のエリア、即ち、２階の病室内の各病床にそれぞれ設置されるナースコール子機２ａ、２ｂ、・・・からの呼出しについても同様、ナースコール親機１１、１２の記憶部５４にそれぞれ設けられた呼出先設定テーブル５７ａ（図３の説明図を参照）および子機番号変更テーブル５７ｂ（図４の説明図を参照）に基づいて、ナースコール親機１１、１２、呼出先に該当した携帯端末２１ａ、２１ｂ、・・・、２２ａ、２２ｂ、・・・にて適宜に呼出報知／表示が行われる（詳述せず）。
【００２７】
また、上述の呼出操作、呼出報知／表示、通話の各動作を、通常時における動作とする。
【００２８】
次に、夜間時、即ち、各階毎で看護業務を遂行している看護人、例えば、看護婦の数が少ない場合、ここでは、他方のエリアをなす２階で看護業務を遂行している看護婦の数が少ない場合において、２階の病室内の各病床にそれぞれ設置されるナースコール子機２ａ、２ｂ、・・・からの呼出しを、一方のエリアをなす１階を巡回中の看護婦が携帯している携帯端末２１ａ、２１ｂ、・・・にて報知／表示させるためには、２階のナースステーション内に設置されたナースコール親機１２の第２の呼出先変更スイッチ６０を操作する。この操作を検出した制御回路５０は、記憶部５７の呼出先設定テーブル５７ａの設定内容を、上述の第２の呼出先変更設定から第１の呼出先変更設定（図３の説明図を参照）に変更するとともに、第１の呼出先変更設定により、元来、１階の病室内の各病床にそれぞれ設置されるナースコール子機１ａ、１ｂ、・・・からの呼出先、即ち、１階を巡回中の看護婦が携帯している携帯端末２１ａ、２１ｂ、・・・にて表示させる子機番号情報に差異をもたせ、これを確認する看護婦に対する利便性を向上させるため、子機番号情報変更テーブル５７ｂの設定内容を、上述の子機番号情報初期設定から第１の子機番号情報設定に変更する、即ち、携帯端末２１ａ、２１ｂ、・・・にて表示させる子機番号情報を、ナースコール子機２ａ、２ｂ、・・・からの各呼出時において「２１」、「２２」、・・・とするとともに、表示部５４を制御し変更された呼出先の携帯端末２１ａ、２１ｂ、・・・に該当した表示灯（図示せず）を点灯させ、２階のナースステーション内に居る看護人、例えば、看護婦への子機番号情報変更の表示を行う。
【００２９】
ここで、他方のエリアをなす２階の病室内の各病床にそれぞれ設置されるナースコール子機２ａ、２ｂ、・・・のうち、ナースコール子機２ａの呼出機能（図示せず）が患者により能動とされると、子機接続ラインＬ2aを介してナースコール子機１２の呼出検出回路５１に呼出信号が伝送される。
【００３０】
ナースコール親機１２の呼出検出回路５１は、子機接続ラインＬ2aを伝送されてきた呼出信号をもとにナースコール子機２ａが設置された病床の患者からの呼出しを検出し、その旨の呼出元情報、例えば、ナースコール子機番号を含有した呼出検出信号を制御回路５０に出力する。制御回路５０は、呼出検出回路５１からの呼出検出信号を検出することにより呼出音発生回路５３を能動とし呼出音発報部５２、例えば、拡声スピーカ（図示せず）にて呼出音発生回路５３からの呼出音信号をもとに呼出音を鳴動させるとともに、表示部５４を制御し呼出元のナースコール子機２ａに該当した表示灯（図示せず）を点灯させ、２階のナースステーション内に居る看護人、例えば、看護婦への呼出報知／表示を行う。また、呼出検出回路５１からの呼出検出信号を検出した制御回路５０は、記憶部５７の呼出先設定テーブル５７ａ（図示せず）および子機番号情報テーブル５７ｂ（図示せず）を参照し、当該呼出検出信号をなすナースコール子機番号に該当して設定されている第１の呼出先変更設定に基づく携帯端末２１ａ、２１ｂ、・・・への呼出先情報（図３の説明図を参照）をなす呼出先アドレスと、当該呼出検出信号をなすナースコール子機番号に該当して設定されている第１の子機番号情報設定に基づく呼出先の携帯端末２１ａ、２１ｂ、・・・にて表示させる子機番号情報（図４の説明図を参照）とを含有した携帯端末呼出信号を、交換機接続ラインＬ12を介して交換機４１に出力する。
【００３１】
また、交換機４１は、ナースコール親機１２からの携帯端末呼出信号を、基地局接続ラインＬ21、Ｌ22、無線基地局３１、３２を介して携帯端末２１ａ、２１ｂ、・・・、２２ａ、２２ｂ、・・・へそれぞれ伝送させる。
【００３２】
また、携帯端末２１ａ、２１ｂ、・・・、２２ａ、２２ｂ、・・・は、上述の通常時の動作と同様、ナースコール親機１２からの携帯端末呼出信号をなす呼出先アドレスと自端末に予め割当てられているアドレスとを照合し、一致した場合にのみ呼出報知／表示を行う。ここでは、携帯端末２１ａ、２１ｂ、・・・のみ当該アドレスが一致し、呼出音の鳴動、呼出元のナースコール子機２ａに該当した子機番号情報「２１」の表示により、１階を巡回中の看護人、例えば、看護婦への呼出報知／表示を行う。
【００３３】
さらに、上述の呼出報知／表示をもとに、ナースコール子機２ａが設置された病床の患者からの呼出しを確認した２階のナースステーション内に居る看護婦、１階を巡回中で携帯端末２１ａ、２１ｂ、・・・を携帯している看護婦のうち、最先に呼出応答した看護婦の適宜な応答操作を行うことにより、上述の通常時の動作と同様、ナースコール子機２ａとの間の通話路が形成され、この通話路を介して音声（音声信号）を送受信させることにより通話が成立する（詳述せず）。
【００３４】
なお、上述の説明では、一方のエリアをなす２階の病室内の各病床にそれぞれ設置されるナースコール子機２ａ、２ｂ、・・・のうち、ナースコール子機２ａからの呼出しを報知／表示させる動作について説明したが、他のナースコール子機２ｂ、・・・や、他方のエリア、即ち、１階の病室内の各病床にそれぞれ設置されるナースコール子機１ａ、１ｂ、・・・からの呼出しについても同様、ナースコール親機１１、１２の記憶部５４にそれぞれ設けられた呼出先設定テーブル５７ａ（図３の説明図を参照）および子機番号変更テーブル５７ｂ（図４の説明図を参照）に基づいて、ナースコール親機１１、１２、呼出先に該当した携帯端末２１ａ、２１ｂ、・・・、２２ａ、２２ｂ、・・・にて適宜に呼出報知／表示が行われる（詳述せず）。
【発明の効果】
【００３５】
以上の説明から明らかなように、本発明のナースコール装置によれば、ナースコール子機から携帯端末への呼出先を変更するための機能、携帯端末にて表示させる子機番号情報を変更するための機能、およびナースコール子機の変更された呼出先を表示するための機能をナースコール親機に備えることにより、ナースコール子機から携帯端末への呼出先、および呼出先の携帯端末にて表示させる子機番号情報の変更が容易となるとともに、変更した呼出先を視覚的に確認することができ、夜間時等で看護業務を遂行する看護人、例えば、看護婦の数が少ない場合における病床の患者からの緊急の呼出しに対して迅速な対応が可能となる。
【図面の簡単な説明】
【００３６】
【図１】本発明の一実施例によるナースコール装置の全体構成を示すブロック図である。
【図２】本発明の一実施例によるナースコール装置をなすナースコール親機の構成を示すブロック図である。
【図３】本発明の一実施例によるナースコール装置をなすナースコール親機の記憶部に設けられた呼出先設定テーブルの構成例を示す説明図である。
【図４】本発明の一実施例によるナースコール装置をなすナースコール親機の記憶部に設けられた子機番号変更テーブルの構成例を示す説明図である。
【図５】従来のナースコール装置の全体構成を示すブロック図である。
【符号の説明】
【００３７】
１ａ、１ｂ、・・・、２ａ、２ｂ、・・・ ・・・・・ナースコール子機
１１、１２・・・・・ナースコール親機
２１ａ、２１ｂ、・・・、２２ａ、２２ｂ、・・・ ・・・・・携帯端末
５４・・・・・表示部
５７・・・・・記憶部
５７ａ・・・・・呼出先設定テーブル
５７ｂ・・・・・子機番号変更テーブル
５８・・・・・第１の呼出先変更スイッチ
５９・・・・・子機番号変更スイッチ
６０・・・・・第２の呼出先変更スイッチ
【図１】
0004843133.tif 000002
【図２】
0004843133.tif 000003
【図３】
0004843133.tif 000004
【図４】
0004843133.tif 000005
【図５】
0004843133.tif 000006